(57)【要約】【課題】記憶に問題を抱える者の的確な行動、及びその行動支援を確実に可能にする。【解決手段】携帯通信端末１０を記憶に問題を抱える者が常時携行し、通信回線網を通じて各種情報（絶対位置情報など）をＩＤとともに、行動モニタリング情報として取り込んで収集する。さらに、各種提供情報（地図情報など）収集する。次に携帯通信端末１０の携行者の特異状態情報（行くべき道路の忘れなど）を取り込むと、過去の収集情報や各種提供情報に基づいて、記憶を消失して取るべき行動に移れない特異状態を、個別的に、その現場で解消するための会話、文字、画像による記憶支援情報（行動支援情報）を生成し、携帯通信端末１０の携行者に転送する。このように記憶を消失して取るべき行動に移れない特異状態を、その現場で解消するための確実な情報提供が、個人的かつ即時的に推論によって行われる。【選択図】        図１
2004246767.tif 000002
【特許請求の範囲】
【請求項１】
個人ごとの記憶を消失して取るべき行動に移れない特異状態を解消するための情報を提供するための喪失記憶情報を通信によって補完する方法において、
通信端末から転送される当該個人の日常の行動モニタリング情報を通信回線を通じて通信回線網側装置が収集する工程と、
前記通信端末から転送される個人の記憶を消失して取るべき行動に移れない特異状態情報を通信回線を通じて前記通信回線網側装置が取り込む工程と、
前記通信回線網側装置が収集した行動モニタリング情報に基づいて、個人の記憶を消失して取るべき行動に移れない特異状態を解消するための記憶支援情報を検索、推論の一方又は両方によって生成して、前記通信端末に通信回線を通じて転送する工程と、
を有することを特徴とする個人的な喪失記憶情報を通信によって補完する方法。
【請求項２】
前記行動モニタリング情報は、
前記通信端末の現在の絶対位置情報を含み、かつ、
前記通信端末における会話、文字、画像の少なくとも一つの通信情報であることを特徴とする請求項１記載の個人的な喪失記憶情報を通信によって補完する方法。
【請求項３】
前記行動モニタリング情報に、
通信回線網上の装置から取り込んだ地図、交通、気象の少なくとも一つの情報を新たに加えることを特徴とする請求項１記載の個人的な喪失記憶情報を通信によって補完する方法。
【請求項４】
前記記憶支援情報は、
会話、文字、画像の少なくとも一つの情報であることを特徴とする請求項１記載の個人的な喪失記憶情報を通信によって補完する方法。
【請求項５】
前記行動モニタリング情報が、
外部の端末によって訂正されることを特徴とする請求項１記載の個人的な喪失記憶情報を通信によって補完する方法。
【請求項６】
前記記憶支援情報の通信回線網側装置から通信端末への転送によって、特異状態が解消されずに、再度、特異状態情報が通信端末から通信回線網側装置に転送される際に、
前記通信回線網側装置が、前記通信端末に少なくとも一つの会話、文字、画像の情報を転送して再度の行動モニタリングを実施して、この情報から再度の検索、推論の一方又は両方を行って、新たな記憶支援情報を生成することを特徴とする請求項１記載の個人的な喪失記憶情報を通信によって補完する方法。
【請求項７】
前記新たな記憶支援情報の生成において、
通信回線網上の装置から地図情報、道路及び施設内の構造を含む交通情報、気象情報の少なくとも一つの情報を取り込んで再度の検索、推論の一方又は両方による新たな記憶支援情報を生成することを特徴とする請求項６記載の個人的な喪失記憶情報を通信によって補完する方法。
【請求項８】
前記記憶支援情報を以下の（ａ）（ｂ）（ｃ）の少なくとも一つに基づいて生成することを有することを特徴とする請求項１記載の個人的な喪失記憶情報を通信によって補完する方法。
（ａ）  記憶に問題を抱える程度であるレベル
（ｂ）  記憶に問題を抱える程度に対する記憶支援情報の階層的な説明の深さであるレイヤ
（ｃ）記憶に問題を抱える程度に対する記憶支援情報の範囲であるレンジ
【請求項９】
前記レベル、レイヤ、レンジの少なくとも一つに基づいた記憶支援情報の検索、推論の一方又は両方による生成において、
設定されている前記レベル、レイヤ、レンジの段階が変化した際に、該当する通信端末の携行者に対する前記レベル、レイヤ、レンジの段階を自動的に変更、設定し、
この新たな前記レベル、レイヤ、レンジの段階に基づいて、次回の検索、推論の一方又は両方による記憶支援情報の生成を実施することを特徴とする請求項８記載の個人的な喪失記憶情報を通信によって補完する方法。
【請求項１０】
前記特異状態の情報が、
通信端末の絶対位置情報が変化しない時間の長さを含む特異状態の情報であり、この特異状態の情報と、予め定めたしきい値と比較して、特異状態であることを識別することを特徴とする請求項１記載の個人的な喪失記憶情報を通信によって補完する方法。
【請求項１１】
前記特異状態の情報が、
通信端末と携行物に装備された無電源の非接触記憶素子との通信回線接続状態の電界強度の悪化又は中断による置忘れの状態を示し、かつ、
記憶支援情報が、前記置忘れに対する報知であることを特徴とする請求項１記載の個人的な喪失記憶情報を通信によって補完する方法。
【請求項１２】
個人ごとの記憶を消失して取るべき行動に移れない特異状態を解消するための情報を提供する記憶情報補完通信システムにおいて、
個人ごとの日常の行動モニタリング情報、及び個人の記憶を消失して取るべき行動に移れない特異状態情報を通信回線を通じて転送する携帯通信端末と、
前記携帯通信端末からの行動モニタリング情報を収集し、かつ前記携帯通信端末から転送される個人の記憶を消失して取るべき行動に移れない特異状態の情報を通信回線を通じて受け取り、この特異状態を解消するための記憶支援情報を検索、推論の一方又は両方によって生成して、前記携帯通信端末に通信回線を通じて転送する通信回線網側装置と、
を備えることを特徴とする記憶情報補完通信システム。
【請求項１３】
個人ごとの記憶を消失して取るべき行動に移れない特異状態を解消するための情報を提供する記憶情報補完通信システムにおいて、
個人が装着した無電源の非接触記憶素子と、
前記非接触記憶素子との無線回線接続によって、個人ごとの日常の行動モニタリング情報及び個人の記憶を消失して取るべき行動に移れない特異状態情報を通信回線を通じて転送する複数の固定通信端末と、
前記複数の固定通信端末それぞれからの行動モニタリング情報を収集し、かつ、前記固定通信端末から転送される個人の記憶を消失して取るべき行動に移れない特異状態の情報を通信回線を通じて受け取り、この特異状態を解消するための記憶支援情報を検索、推論の一方又は両方によって生成して、前記固定通信端末に通信回線を通じて転送する通信回線網側装置と、
を備えることを特徴とする記憶情報補完通信システム。
【請求項１４】
前記携帯通信端末又は固定通信端末に、
行動モニタリング情報としての現在の絶対位置情報を転送する絶対位置情報検出手段と、
会話、文字、画像の少なくとも一つの通信情報を転送する情報転送手段と、
を備えることを特徴とする請求項１２又は１３記載の記憶情報補完通信システム。
【請求項１５】
前記通信回線網側装置が、行動モニタリングサーバと、会話・文字・画像による記憶支援情報を生成する情報行動支援エージェントサーバと、行動モニタリング情報及び地図情報、交通情報、気象情報の少なくとも一つの情報を取り込んで格納する情報収集データベース手段と、
を備えることを特徴とする請求項１２又は１３記載の記憶情報補完通信システム。
【請求項１６】
前記行動モニタリング情報に、
地図、交通、気象の少なくとも一つの情報を新たに加えるための情報提供手段を、通信回線網上にさらに備えることを特徴とする請求項１２又は１３記載の記憶情報補完通信システム。
【請求項１７】
前記携帯通信端末に、
当該携帯通信端末の携行者が携行する物に装備された無電源の非接触記憶素子との通信回線接続状態の電界強度の悪化又は中断による前記携帯物の置忘れの状態を検出して、通信回線網側装置が置き忘れの記憶支援情報を生成して転送するための無線通信手段をさらに備えることを特徴とする請求項１２記載の記憶情報補完通信システム。
【請求項１８】
個人ごとの日常の行動モニタリング情報、及び個人の記憶を消失して取るべき行動に移れない特異状態情報を通信回線を通じて転送するステップをコンピュータに実行させるためのプログラム。
【請求項１９】
携帯通信端末からの行動モニタリング情報を収集するステップと、
携帯通信端末から転送される個人の記憶を消失して取るべき行動に移れない特異状態の情報を通信回線を通じて受け取るステップと、
この特異状態を解消するための記憶支援情報を検索、推論の一方又は両方によって生成するステップと、
生成した記憶支援情報を携帯通信端末に通信回線を通じて転送するステップと、
をコンピュータに実行させるためのプログラム。
【請求項２０】
個人が装着した無電源の非接触記憶素子との無線回線接続によって、個人ごとの日常の行動モニタリング情報及び個人の記憶を消失して取るべき行動に移れない特異状態情報を通信回線を通じて転送するステップとをコンピュータに実行させるためのプログラム。
【請求項２１】
複数の固定通信端末それぞれからの行動モニタリング情報を収集するステップと、
固定通信端末から転送される個人の記憶を消失して取るべき行動に移れない特異状態の情報を通信回線を通じて受け取るステップと、
この特異状態を解消するための記憶支援情報を検索、推論の一方又は両方によって生成するステップと、
固定通信端末に通信回線を通じて転送するステップと、
をコンピュータに実行させるためのプログラム。
【発明の詳細な説明】
【０００１】
【発明の属する技術分野】
本発明は、個人ごとの記憶を消失して取るべき行動に移れない特異状態において、これを、その現場で解消するための情報を、個人的かつ即時的に収集情報から検索、推論して提供するための個人的な喪失記憶情報を通信によって補完する方法及びその通信システム並びにプログラムに関する。
【０００２】
【従来の技術】
従来、この種の個人ごとの記憶を消失して取るべき行動に移れない特異状態（適宜、記憶の失敗と記載する）として、日常的な物忘れや、加年齢による記憶力の衰え、及び脳損傷や痴呆症による記憶障害を挙げることが出来る。こうした記憶に問題を抱える様々な問題（この「記憶に問題を抱える様々な問題」を、適宜、「記憶の失敗」と表記する）としては、人や物の名前が思い出せない、物を置き忘れたり、置いた場所を思い出せない、直前まで自分が何をやっていたかが思い出せない、大切な約束を忘れてしまう、やろうと思っていたことを、し忘れる等々がある。
【０００３】
このような記憶の失敗によって、社会的信用の失墜、自己有能感の低下、自立した社会生活が不可能などの、個人的及び社会的問題を惹起する。換言すれば、現代社会は記憶負荷が高く、記憶に問題を抱える者の生活の質（ＱＯＬ：Ｑｕａｌｉｔｙ  Ｏｆ  Ｌｉｆｅ）が補償されていない。
【０００４】
この種の記憶の失敗に対する補完として、既知の電子辞書、電子手帳や、携帯電話機、ＰＤＡ（Ｐｅｒｓｏｎａｌ  Ｄｉｇｉｔａｌ  Ａｓｓｉｓｔａｎｔ）などにおける「メモ機能、電話帳機能、スケージル管理機能」などがある。これらは、予め人手操作で必要な、忘れ易い情報を装置内の主記憶装置や通信ネットワーク上のデータベース（Ｄ／Ｂ）装置に格納し、必要に応じて読み出して参照している。
【０００５】
この場合、予め記憶（格納）した情報のみが参照できるものであり、上記した「記憶に問題を抱える者のＱＯＬを補償する行動支援には程遠い感がある。このような行動支援に対する提案として、本発明者などによる提案「記憶弱者のＱＯＬを補償する行動支援システム」がある。この提案における行動支援では、記憶に問題を抱える者に対して既存の情報技術を用いた記憶補助システムの開発や、実世界を認識し、その状況に応じた情報を提供する社会環境システムの方向性が示されている（例えば、非特許文献１参照）。
【０００６】
さらに、他の提案として、日常生活で発生する膨大な情報を可及的かつ漏れなくスキャンして、その内容明細を詳しく、以後の高度加工、有効利用が可能なように、収集、整理、記憶する例がある。換言すれば、個人の失われ易い記憶や発想に対して、その内容明細をなるべく意味のある形で各要素を漏れなく関連付けて記憶している（例えば、特許文献１参照）。
【０００７】
【非特許文献１】
山下耕二・福原知宏・松村憲一・寺田和憲・久保田秀和・畦地真太郎・西田豊明、「記憶弱者のＱＯＬを補償する行動支援システム」  人工知能学会全国大会（第１６回）論文集（ＣＤ−ＲＯＭ），１Ｃ４−０４（２００２）
【特許文献１】
特許公開２０００−３３１０８９号「個人生活情報・行動管理装置及び方法」公報（要約）
【０００８】
【発明が解決しようとする課題】
しかしながら、上記従来例において、前者の非特許文献１には、行動支援に対する方向性が提案されているのみであり、その実現手段についての説明は行われていない。
【０００９】
また、上記した特許文献１には、個人の失われ易い記憶や発想に対して、その内容明細をなるべく意味のある形で各要素を漏れなく関連付けて記憶することが記載されている。しかしながら、この記憶に基づいた記憶に問題を抱える者に対する行動支援のための人工知能的な推論や検索、個別的な行動支援の情報処理については、何ら記載がない。換言すれば、記憶に問題を抱える者への日常の行動支援が出来ないという欠点がある。
【００１０】
本発明は、上記事情に鑑み、記憶を消失して取るべき行動に移れない特異状態を、その現場で解消するための確実な情報提供が、個人的かつ即時的に推論、検索によって出来る様になり、その記憶に問題を抱える者の的確な行動、及びその行動支援が確実に可能になる、個人的な喪失記憶情報を通信によって補完する方法及びその通信システム並びにプログラムを提供することを目的とする。
【００１１】
【課題を解決するための手段】
上記目的を達成する本発明の個人的な喪失記憶情報を通信によって補完する方法は、個人ごとの記憶を消失して取るべき行動に移れない特異状態を解消するための情報を提供するものであり、通信端末から転送される当該個人の日常の行動モニタリング情報を通信回線を通じて通信回線網側装置が収集する工程と、前記通信端末から転送される個人の記憶を消失して取るべき行動に移れない特異状態情報を通信回線を通じて前記通信回線網側装置が取り込む工程と、前記通信回線網側装置が収集した行動モニタリング情報に基づいて、個人の記憶を消失して取るべき行動に移れない特異状態を解消するための記憶支援情報を検索、推論の一方又は両方によって生成して、前記通信端末に通信回線を通じて転送する工程とを有する。
【００１２】
この発明の個人的な喪失記憶情報を通信によって補完する方法では、個人ごとの記憶を消失して取るべき行動に移れない特異状態を、その現場で解消するための確実な情報提供が、個人的かつ即時的に推論によって出来る様になり、その記憶に問題を抱える者の的確な行動（例えば、記憶に問題を抱える者のＱＯＬを補償するための行動支援）、及びその行動支援が確実に可能になる。
【００１３】
また、本発明の方法の前記行動モニタリング情報は、通信端末の現在の絶対位置情報を含み、かつ、前記通信端末における会話、文字、画像の少なくとも一つの通信情報であり、さらに、前記行動モニタリング情報に、通信回線網上の装置から取り込んだ地図、交通、気象の少なくとも一つの情報を新たに加える。また、前記記憶支援情報は、会話、文字、画像の少なくとも一つの情報であり、前記行動モニタリング情報が、外部の端末によって訂正される。さらに、前記記憶支援情報の通信回線網側装置から通信端末への転送によって、特異状態が解消されずに、再度、特異状態情報が通信端末から通信回線網側装置に転送される際に、前記通信回線網側装置が、前記通信端末に少なくとも一つの会話、文字、画像の情報を転送して再度の行動モニタリングを実施して、この情報から再度の検索、推論の一方又は両方を行って、新たな記憶支援情報を生成する。さらに、前記新たな記憶支援情報の生成において、通信回線網上の装置から地図情報、道路及び施設内の構造を含む交通情報、気象情報の少なくとも一つの情報を取り込んで再度の検索、推論の一方又は両方による新たな記憶支援情報を生成し、前記記憶支援情報を以下の（ａ）（ｂ）（ｃ）の少なくとも一つに基づいて生成する。（ａ）  記憶に問題を抱える程度であるレベル、（ｂ）  記憶に問題を抱える程度に対する記憶支援情報の階層的な説明の深さであるレイヤ、（ｃ）記憶に問題を抱える程度に対する記憶支援情報の範囲であるレンジ、また、前記レベル、レイヤ、レンジの少なくとも一つに基づいた記憶支援情報の検索、推論の一方又は両方による生成において、設定されている前記レベル、レイヤ、レンジの段階が変化した際に、該当する通信端末の携行者に対する前記レベル、レイヤ、レンジの段階を自動的に変更、設定し、この新たな前記レベル、レイヤ、レンジの段階に基づいて、次回の検索、推論の一方又は両方による記憶支援情報の生成を実施する。
【００１４】
さらに、本発明の方法は、前記特異状態の情報が、通信端末の絶対位置情報が変化しない時間の長さを含む特異状態の情報であり、この特異状態の情報と、予め定めたしきい値と比較して、特異状態であることを識別し、また、前記特異状態の情報が、通信端末と携行物に装備された無電源の非接触記憶素子との通信回線接続状態の電界強度の悪化又は中断による置忘れの状態を示し、かつ、記憶支援情報が、前記置忘れに対する報知である。
【００１５】
上記目的を達成する本発明の記憶情報補完通信システムは、個人ごとの記憶を消失して取るべき行動に移れない特異状態を解消するための情報を提供するものであり、個人ごとの日常の行動モニタリング情報、及び個人の記憶を消失して取るべき行動に移れない特異状態情報を通信回線を通じて転送する携帯通信端末と、前記携帯通信端末からの行動モニタリング情報を収集し、かつ前記携帯通信端末から転送される個人の記憶を消失して取るべき行動に移れない特異状態の情報を通信回線を通じて受け取り、この特異状態を解消するための記憶支援情報を検索、推論の一方又は両方によって生成して、前記携帯通信端末に通信回線を通じて転送する通信回線網側装置とを備える。
【００１６】
さらに、本発明のシステムは、個人ごとの記憶を消失して取るべき行動に移れない特異状態を解消するための情報を提供するものであり、個人が装着した無電源の非接触記憶素子と、前記非接触記憶素子との無線回線接続によって、個人ごとの日常の行動モニタリング情報及び個人の記憶を消失して取るべき行動に移れない特異状態情報を通信回線を通じて転送する複数の固定通信端末と、前記複数の固定通信端末それぞれからの行動モニタリング情報を収集し、かつ、前記固定通信端末から転送される個人の記憶を消失して取るべき行動に移れない特異状態の情報を通信回線を通じて受け取り、この特異状態を解消するための記憶支援情報を検索、推論の一方又は両方によって生成して、前記固定通信端末に通信回線を通じて転送する通信回線網側装置とを備える。
【００１７】
そして、本発明のシステムは、前記携帯通信端末又は固定通信端末に、行動モニタリング情報としての現在の絶対位置情報を転送する絶対位置情報検出手段と、会話、文字、画像の少なくとも一つの通信情報を転送する情報転送手段とを備え、さらに、前記通信回線網側装置が、行動モニタリングサーバと、会話・文字・画像による記憶支援情報を生成する情報行動支援エージェントサーバと、行動モニタリング情報及び地図情報、交通情報、気象情報の少なくとも一つの情報を取り込んで格納する情報収集データベース手段とを備える。
【００１８】
さらに、本発明のシステムは、前記行動モニタリング情報に、地図、交通、気象の少なくとも一つの情報を新たに加えるための情報提供手段を、通信回線網上にさらに備え、また、前記携帯通信端末に、当該携帯通信端末の携行者が携行する物に装備された無電源の非接触記憶素子との通信回線接続状態の電界強度の悪化又は中断による前記携行物の置忘れの状態を検出して、通信回線網側装置が置き忘れの記憶支援情報を生成して転送するための無線通信手段をさらに備える。
【００１９】
この発明の記憶情報補完通信システムは、上記した個人的な喪失記憶情報を通信によって補完する方法と同様に、個人ごとの記憶に問題を抱える者の的確な行動、及びその行動支援が確実に可能になる。
【００２０】
上記目的を達成する本発明のプログラムは、個人ごとの日常の行動モニタリング情報、及び個人の記憶を消失して取るべき行動に移れない特異状態情報を通信回線を通じて転送するステップをコンピュータに実行させる。
【００２１】
また、本発明のプログラムは、携帯通信端末からの行動モニタリング情報を収集するステップと、携帯通信端末から転送される個人の記憶を消失して取るべき行動に移れない特異状態の情報を通信回線を通じて受け取るステップと、この特異状態を解消するための記憶支援情報を検索、推論の一方又は両方によって生成するステップと、生成した記憶支援情報を携帯通信端末に通信回線を通じて転送するステップとをコンピュータに実行させる。
【００２２】
さらに、本発明のプログラムは、個人が装着した無電源の非接触記憶素子との無線回線接続によって、個人ごとの日常の行動モニタリング情報及び個人の記憶を消失して取るべき行動に移れない特異状態情報を通信回線を通じて転送するステップとをコンピュータに実行させ、さらに、複数の固定通信端末それぞれからの行動モニタリング情報を収集するステップと、固定通信端末から転送される個人の記憶を消失して取るべき行動に移れない特異状態の情報を通信回線を通じて受け取るステップと、この特異状態を解消するための記憶支援情報を検索、推論の一方又は両方によって生成するステップと、固定通信端末に通信回線を通じて転送するステップとをコンピュータに実行させる。
【００２３】
この発明のプログラムでは、本発明が、情報記録媒体（パッケージソフトウェアなど）や通信ネットワーク上からのダウンロード／インストールを通じた提供が可能になる。したがって、当該発明を、種々の装置に搭載されるマイクロコンピュータなどで容易に実施できるようになって、その汎用性が向上する。
【００２４】
【発明の実施の形態】
以下、図を参照して、本発明の実施形態について説明する。この説明において、構成及び配置関係については、本発明が理解できる程度に概略的に示している。したがって、本発明は以下の実施形態に限定されず、特許請求の範囲の記載に基づく様々な形態に適用可能である。
【００２５】
（第１実施形態の基本的な機能）
図１は、第１実施形態における機能構成を説明するための図である。
【００２６】
図１を参照すると、携帯通信端末は、記憶に問題を抱える者が常時携行し、通信回線網を通じて次の（ａ）（ｂ）（ｃ）（ｄ）（ｅ）の情報を転送する。
【００２７】
「（ａ）自己絶対位置情報、（ｂ）スケジュール管理情報やメモ記録など、（ｃ）無線区間を通じた携帯電話会話の情報、（ｄ）携帯電話機での、例えば、インターネット接続の文字情報、（ｅ）周囲の撮影画像情報」
これらの各情報が、携帯通信端末の携行者（記憶に問題を抱える者）の行動としてモニタリングされて、携行者の識別符号（ＩＤ）ごとに情報収集される。この情報収集では、携帯通信端末の携行者の記憶支援情報（これは個人的な喪失記憶に対し、通信によって補完する情報であり行動支援情報とも表記する）を生成するための各種提供情報（以降で詳細に説明する地図情報、道路交通情報、気象情報提供）を、上記した（ａ）から（ｅ）までの各情報に対応付けて取り込む（例えば、日時、場所）。
【００２８】
次に、携帯通信端末の携行者の特異状態情報を、行動モニタリングを通じて取り込むと、その「検索、推論」を実行する。ここで特異状態情報とは、記憶に問題を抱える者としての携帯通信端末の携行者が、記憶を消失して取るべき正常な行動に移れない状態である。
【００２９】
記憶を消失して取るべき行動に移れない状態は、ここでは上記した（ａ）日常的な物忘れ、（ｂ）加年齢による記憶力の衰え、（ｃ）脳損傷や痴呆症による記憶障害である。
【００３０】
ここでは、記憶を消失して取るべき行動に移れない状態に対し、特異状態を解消するための会話、文字、画像による記憶支援情報（行動支援情報）を生成するための「検索、推論」を実施する。この「検索、推論」では、上記した（ａ）  日常的な物忘れから（ｃ）  脳損傷や痴呆症による記憶障害を、それぞれ「レベル１，２，３」とする。すなわち、「レベル１，２，３」は、記憶に問題を抱える程度である。
【００３１】
さらに、記憶支援情報（行動支援情報）の階層を「レイヤ１…ｎ」とする。この「レイヤ１…ｎ」は、上記した記憶に問題を抱える程度に対する記憶支援情報（行動支援情報）の量である。換言すれば、説明の深さであり、「レベル１，２，３」ごとの説明の量であり、記憶支援情報（行動支援情報）が増大する。
【００３２】
また、記憶支援情報（行動支援情報）の生成範囲を「レンジ１…ｎ」として、その「検索、推論」を実施する。この「レンジ１…ｎ」は、上記した記憶に問題を抱える程度に対する記憶支援情報の範囲である。すなわち、記憶に問題を抱える者への説明の範囲であり、「レベル１，２，３」ごとに説明の範囲（記憶支援情報／行動支援情報）が広くならない。これは、例えば、「レベル３」の（ｃ）脳損傷や痴呆症による記憶障害の場合、説明の量である記憶支援情報を増大化すると、この記憶に問題を抱える者（上記した（ｃ）参照）が、即時的に記憶支援情報を理解できずに、記憶を消失して取るべき行動に移れない特異状態を、その現場で解消できない（記憶に問題のある者への行動支援が確実化しない）ためである。
【００３３】
この「レベル１，２，３」、「レイヤ１…ｎ」、「レンジ１…ｎ」は、最初は、例えば、本人やこの記憶情報補完通信システムの管理者から手動設定される。この後、特異状態情報によって最適な行動支援情報が提供されるように「検索、推論」と「会話・文字・画像情報行動支援」との連携によって自動的に変更・設定される。
【００３４】
例えば、道に迷った際の立ち止まっている時間の長さや、記憶に問題を抱える者との「会話・文字・画像情報行動支援」との会話状態から個々の記憶に問題を抱える者ごとに随時、自動変更設定され、次の記憶行動支援情報（行動支援情報）か携帯通信端末の携行者に対して転送される。
【００３５】
換言すれば、記憶に問題を抱える者の、その現状の程度に合わせ、かつ、特異状態に整合した、その解消のための記憶支援情報を記憶に問題を抱える者ごと、かつ、その現場に合わせて生成する。
【００３６】
この様にして生成した記憶支援情報を、携帯通信端末の携行者に転送する。
【００３７】
この転送で、取るべき行動に移れない状態が継続、すなわち、特異状態情報が、再度転送されて来る場合（例えば、進む道路が判明しないような場合、換言すれば、立ち止まった時間が一定時間を超える場合）は、個別的に最初に手動操作などで設定された「レベル１，２，３」、「レイヤ１…ｎ」、「レンジ１…ｎ」の組み合わせ設定を自動的に変更する。そして、さらに詳細な記憶支援情報を転送する。
【００３８】
なお、上記した情報収集において、その内容が携帯通信端末の携行者や、記憶情報補完通信システムの管理者が閲覧し、必要に応じて訂正することが出来るようになっている。
【００３９】
このようにして記憶を消失して取るべき行動に移れない特異状態を、その現場で解消するための確実な記憶支援情報の提供が、個人的かつ即時的に「検索、推論」によって行われ、その記憶に問題のある者への行動支援が確実に可能になる。
【００４０】
以下、この第１実施形態の基本的な機能の実現手段について説明する。
【００４１】
（第１実施形態の構成及び要部の個別動作）
図２は本発明の第１実施形態の構成例を示す双方向通信ネットワーク図である。
【００４２】
図２を参照すると、この第１実施形態の構成例の双方向通信ネットワークは、アナログ又はデジタル伝送方式の有線通信回線網１及びセルラーデジタル移動通信ネットワークにおけるセル基地局（ＢＳ）を備えた無線通信回線網２とを有している。
【００４３】
なお、この有線通信回線網１及び無線通信回線網２を合わせて、適宜「通信回線網」と表記する。
【００４４】
また、通信回線網に図２の各装置が接続された構成が本発明でいう「双方向通信ネットワーク」である。
【００４５】
この通信回線網には、記憶情報補完通信システムとしての通信回線網側装置３と、通信回線網情報制御系５及び携帯通信端末１０（本発明（請求項）における通信端末に対応する）が収容され、さらに、天空を飛翔するＧＰＳ衛星ＳＳを有している。
【００４６】
通信回線網側装置３は、情報提供通信システム２０（本発明（請求項）における情報提供手段に対応する）と、行動モニタリングサーバ２１と、行動支援エージェントサーバ２２と、情報収集データベース（Ｄ／Ｂ）システム２３（本発明（請求項）における情報収集データベース手段に対応する）とを有し、この情報収集Ｄ／Ｂシステム２３には、Ｄ／Ｂ検索エンジンを含む推論エンジン２３ａを搭載している。
【００４７】
情報提供通信システム２０は、地図情報提供システム（例えば、カーナビゲーション用として既知）と、道路交通情報（例えば、道路の通行止め情報、鉄道の季節運行情報、建物の新設・取り壊し情報）を提供する道路交通情報提供システム（例えば、道路交通情報通信システム／ＶＩＣＳ：Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）と、各地の天候の状況、天気予報などの気象情報を提供する気象情報提供システム（例えば、気象資料総合処理システム／ＣＳＭＳ：Ｃｏｍｐｕｔｅｒ  Ｓｙｓｔｅｍ  ｆｏｒ  Ｍｅｔｅｏｒｏｌｏｇｉｃａｌ  Ｓｅｒｖｉｃｅｓ）からなる。
【００４８】
次に上記した要部の個々の動作について説明する。
【００４９】
有線通信回線網１及び無線通信回線網２（通信回線網）は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルによる通信伝送を行う。
【００５０】
この双方向通信ネットワークとして、以下、ＴＣＰ／ＩＰに代表されるインターネットをもって説明する。
【００５１】
通信回線網側装置３は、携帯通信端末１０や情報提供通信システム２０からの各種情報に基づいて、携帯通信端末１０の携行者に対する記憶支援情報を携帯通信端末１０に転送する。
【００５２】
通信回線網情報制御系５は、無線通信回線網２を有線通信回線網１に収容するための、図示しない多重化装置、移動通信制御装置及び交換機などを有している。
【００５３】
携帯通信端末１０は、記憶に問題を抱える者が常時携行し、一定間隔で計測した自己の絶対位置情報（二次元又は三次元）、及び入力した情報（例えば、スケジュール管理情報）を通信回線網側装置３に転送し、かつ、無線通信回線網２との無線区間を通じた携帯電話による会話を行う。また、文字情報のやり取り（携帯電話機によるインターネット接続）、さらに、間欠的（状況によっては連続的）に周囲を撮影した画像情報を通信回線網側装置３に転送する（携帯通信端末１０の構成については図３参照）。
【００５４】
情報提供通信システム２０（通信回線網側装置３）の地図情報提供システムは、例えば、カーナビゲーション用の地図情報提供用として既知であり、また、道路交通情報提供システムは、道路交通情報（交通、鉄道、道路、建物）を提供するものであり、例えば、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）である。さらに、情報提供通信システム２０の気象情報提供システムは、各地の天候の状況、天気予報などの気象情報を提供し、例えば、ＣＳＭＳ（Ｃｏｍｐｕｔｅｒ  Ｓｙｓｔｅｍ  ｆｏｒ  Ｍｅｔｅｏｒｏｌｏｇｉｃａｌ  Ｓｅｒｖｉｃｅｓ）である。
【００５５】
行動モニタリングサーバ２１は、携帯通信端末１０や情報提供通信システム２０からの各種情報を監視して、情報収集Ｄ／Ｂシステム２３に出力する。
【００５６】
会話・文字・画像情報による記憶支援情報（行動支援情報）を提供する行動支援エージェントサーバ２２は、検索及び推論（適宜、推論のみで示す）を行う推論エンジン２３ａと連動して、携帯通信端末１０の携行者に対する「記憶支援情報」を生成して転送する。
【００５７】
情報収集Ｄ／Ｂシステム２３は、携帯通信端末１０からの行動モニタリング情報や情報提供通信システム２０からの各種情報を格納する。
【００５８】
推論エンジン２３ａは、情報収集Ｄ／Ｂシステム２３に格納している記憶に問題を抱える者の識別符号（ＩＤ）ごとの各種情報、及び行動支援エージェントサーバ２２とのやり取りによって、「特異状態情報」に対し、人工知能的な推論を実行して、携帯通信端末１０の携行者に対する「記憶支援情報（行動支援情報）」を生成する。
【００５９】
ＧＰＳ衛星ＳＳは、記憶に問題を抱える者の個人が携行する携帯通信端末１０の二次元又は三次元の自位置情報を得るためのＧＰＳ電波（３個又は４個のＧＰＳ衛星ＳＳそれぞれからのＧＰＳ電波Ｗａ〜Ｗｃ、又はＷａ〜Ｗｄ）送信する。
【００６０】
図３は、図２中の携帯通信端末１０の外観構成例を示す斜視図である。
【００６１】
図３を参照すると、この携帯通信端末１０は、ＧＰＳアンテナＡｎｔ１と、無線通信用アンテナＡｎｔ２と、液晶ディスプレイ（ＬＣＤ）３１と、スピーカ３２と、撮影光学系３３と、キー群３４と、マイクロホン３５とを有している（この携帯通信端末１０の各部の動作については図４の説明を参照、本発明（請求項）における情報転送手段に対応する）。
【００６２】
図４は、図２及び図３中の携帯通信端末１０の電気的構成例を示すブロック図である。なお、図４において、図３中の同一の構成要素には、同一の符号を付してある。
【００６３】
図４を参照すると、この携帯通信端末１０は、ＧＰＳアンテナＡｎｔ１と、無線通信用アンテナＡｎｔ２と、液晶ディスプレイ（ＬＣＤ）３１と、スピーカ３２と、撮影光学系３３と、キー群３４と、マイクロホン３５と、ＧＰＳ受信部４１と、合成音声信号出力部４２と、画像処理部４３と、無線送受信部４４と、補助記憶装置４５と、制御部４６と、主記憶部４７と、タイマ回路４８と、入出力（Ｉ／Ｏ）回路４９と、画像合成部５０と、無線通信部１０ａ（図９のＴＲＸ７０ｄ、図１３参照、本発明（請求項）における無線通信手段に対応する）とを有している。
【００６４】
ＧＰＳアンテナＡｎｔ１は、天空を飛翔する少なくとも、３個又は４個のＧＰＳ衛星ＳＳそれぞれからのＧＰＳ電波Ｗａ〜Ｗｃ、又はＷａ〜Ｗｄを受信する。
【００６５】
無線通信用アンテナＡｎｔ２は、無線通信回線網２との無線区間での無線送受信用である。
【００６６】
液晶ディスプレイ（ＬＣＤ）３１は、各種情報、特に上記した記憶支援情報、入力情報を画面表示する。
【００６７】
スピーカ３２は、携帯電話の受話用及び上記した記憶支援情報などを音声出力する。
【００６８】
撮影光学系３３は、携帯通信端末１０の携行者が見ている周囲の撮影画像信号を出力する。
【００６９】
キー群３４は、携帯電話の情報入力用（例えば、電話番号、電源ＯＮ／ＯＦＦ、文字入力用）である。
【００７０】
マイクロホン３５は、携帯電話の送話用、メモ入力用である。
【００７１】
ＧＰＳ受信部４１は、ＧＰＳ電波（Ｗａ〜Ｗｃ／二次元絶対位置情報、Ｗａ〜Ｗｄ／三次元絶対位置情報）の受信信号から絶対位置情報（二次元情報／緯度、経度又は三次元情報／緯度、経度、高度）を算出する。この算出は、ＧＰＳ受信信号に対するスペクトル逆拡散、距離計測、ドップラ計測及び軌道データ処理から位置計算、及び移動速度方位計算を行って得る。
【００７２】
合成音声信号出力部４２は、文字データなどを合成音声信号に変換してスピーカ３２を通じて出力する。
【００７３】
画像処理部４３は、撮影光学系３３からの撮像データを、例えば、通信回線網側装置３に転送するために圧縮し、又は通信回線網側装置３から受信した画像データを、液晶ディスプレイ３１で画面表示するための伸張などを行う。
【００７４】
無線送受信部４４は、例えば、時分割多重（ＴＤＭＡ）方式による無線送受信の処理（無線送受信、時分割多重、符号化復号化など）を行う。
【００７５】
補助記憶装置４５は、例えば、超小型のハードディスクである。
【００７６】
制御部４６は、当該携帯通信端末１０の各部の制御を実行する。
【００７７】
主記憶部４７は、半導体メモリなどであり、各種の処理データを格納する。
【００７８】
タイマ回路４８は、月、日時をカウントし、このデータを、例えば、ＧＰＳ受信による携帯通信端末１０の携行者の移動地点の情報に付与する。また、携帯電話の通話（会話）内容や撮影画像データ（圧縮データ）、及び文字データ（例えば、携帯電話機によるインターネット接続）に月、日時データを付与して情報収集Ｄ／Ｂシステム２３に蓄積する。
【００７９】
無線通信部１０ａは、無線チップ（無電源ＩＣチップ、本発明（請求項）における非接触記憶素子に対応する）との無線通信を実行する（この無線通信部１０ａ及び、その無線通信については、第２実施形態において説明する）。
【００８０】
画像合成部５０は、Ｖ−ＲＡＭなどを備えて、絶対位置を地図上に表示する画像合成処理を行う。
【００８１】
なお、ここでは絶対位置情報の生成にＧＰＳを採用しているが、他の磁気センサなどでも以下同様に動作する。
【００８２】
図５は図２中の各装置におけるプログラムを実行する制御系のブロック図である。
【００８３】
図５を参照すると、この構成例は、Ｉ／Ｆ回路５１と、ＭＰＵ５２（ＣＰＵと、ワーキング用のＲＡＭ及びＲＯＭ）と、入出力（Ｉ／Ｏ）回路５３と、表示装置５４と、入力操作装置５５と、メモリ５６と、補助記憶装置５７と、ドライバ５８とを有している。
【００８４】
この制御系の構成例は、制御、アドレス及びデータの転送用のバスラインを通じて以下のように動作する。
【００８５】
Ｉ／Ｆ回路５１が、データ転送処理、及び転送データをＭＰＵ５２が取り込み可能に処理する。ＭＰＵ５２はＣＰＵと、ワーキング用のＲＡＭ及びＲＯＭからなる既知の処理を実行する。入出力（Ｉ／Ｏ）回路５３は、ここからの各種の処理データをＣＲＴやＬＣＤである表示装置５４に出力し、また、各種の情報入力を行うキーボードやマウスなどで実現される入力操作装置５５とのデータをやり取りする。
【００８６】
さらに、図５の構成には、ＭＰＵ５２の処理データなどが、メモリ５６や補助記憶装置５７で保存され、ドライバ５８がＣＤ―ＲＯＭなどの情報記録媒体からの記憶情報を取り込むようになっている。
【００８７】
（第１実施形態の全体動作）
図６は、第１実施形態におけるシーケンス図であり、図７は、第１実施形態の動作の処理手順を示すフローチャートである。
【００８８】
なお、図７では図２中の行動モニタリングサーバ２１及び行動支援エージェントサーバ２２の二つを、一つの制御系として、その処理手順を説明してある。
【００８９】
図２から図５及び図６、図７を参照すると、携帯通信端末１０は、記憶に問題を抱える者が常時携行し、上記した次の情報（Ａ）の（ａ）から（ｅ）までを生成する。
（ａ）一定間隔でＧＰＳ計測した自己の絶対位置（二次元又は三次元）情報。
（ｂ）入力した情報（例えば、スケジュール管理情報やメモ記録）。
（ｃ）無線区間を通じた携帯電話（会話）の情報。
（ｄ）文字情報の通信（携帯電話機でのインターネット接続）の情報、（ｅ）間欠的（状況によっては連続的）に、周囲を撮影した画像情報。
【００９０】
上記した（ｃ）無線区間を通じた携帯電話（会話）の情報は、特に携帯通信端末１０の携行者の会話内容を音声認識（自然言語）で判別し、例えば、文字データに変換して情報収集Ｄ／Ｂシステム２３に格納する。このような音声認識（自然言語）は、例えば、音素認識、単音節認識、単語認識、文認識などの良く知られた手法がある。
【００９１】
また、（ｅ）間欠的（状況によっては連続的）に、周囲を撮影した画像情報は、ＭＰＥＧ（Ｍｏｖｉｎｇ  Ｐｉｃｔｕｒｅ  Ｅｘｐｅｒｔｓ  Ｇｒｏｕｐ）方式で圧縮して、記憶するのが、情報収集Ｄ／Ｂシステム２３での記憶容量の点で好ましい。また、画像情報の中から文字の部分を切り出し、この文字部分を光学式文字読み取り手法（Ｏｐｔｉｃａｌ  Ｃｈａｒａｃｔｅｒ  Ｒｅａｄｅｒ）によって文字データに変換して、その画像情報に加えて情報収集Ｄ／Ｂシステム２３に格納する。
【００９２】
これらの（ａ）から（ｅ）までの各情報（Ａ）ともに、情報提供通信システム２０における地図情報提供システム、道路交通情報提供システム、気象情報提供システムでの各種情報（Ｂ）が推論エンジン２３ａでの推論のために生成される（ステップＳ１）。
【００９３】
この情報（Ａ）（Ｂ）が携帯通信端末１０の携行者（記憶に問題を抱える者）の識別符号（ＩＤ）とともに、通信回線網側装置３に転送され、その行動モニタリング情報の取り込みを行動モニタリングサーバ２１において判断し（ステップＳ２）、この後に、情報収集Ｄ／Ｂシステム２３に格納する（ステップＳ３）。
【００９４】
さらに、行動モニタリングサーバ２１は、上記した情報（Ａ）の行動モニタリングにおいて、携帯通信端末１０の携行者の特異状態情報を、行動モニタリングサーバ２１が、その有無を判断する（ステップＳ４）。ここで特異状態情報を、行動モニタリングサーバ２１が取り込むと推論エンジン２３ａが起動し、特異状態情報に対する推論、すなわち、携帯通信端末１０の携行者（記憶に問題を抱える者）が、どのような「記憶支援情報（行動支援情報）」を必要とする特異状態かを判断する。ここでの判断として、情報（Ａ）における「（ａ）一定間隔でＧＰＳ計測した自己の絶対位置（二次元又は三次元）情報」の変化しない時間が一定の時間（しきい値）を超えたかを、行動モニタリングサーバ２１が判断する（ステップＳ５）。この変化しない時間が一定の時間（しきい値）を超えたことは、道に迷った際の立ち止まっていることを意味する。ただし、駅の場合、切符購入や、人との待ち合わせのために立ち止まっている場合がある。
【００９５】
この状態で推論エンジン２３ａが、携帯通信端末１０の携行者（記憶に問題を抱える者）が、どのような「記憶支援情報」を必要とするかの推論を開始する（ステップＳ６）。
【００９６】
この推論において、例えば、情報（Ｂ）における地図情報を取り込み（ステップＳ７）、情報収集Ｄ／Ｂシステム２３に格納している現在の二次元（又は三次元）絶対位置情報（情報（Ａ）における（ａ）参照）から、その携帯通信端末１０の携行者の現在の場所（例えば、駅）を特定する。さらに、情報収集Ｄ／Ｂシステム２３に格納している上記した情報（Ａ）における（ｂ）  入力した情報（例えば、スケジュール管理情報やメモ記録）から（ｅ）  間欠的（状況によっては連続的）に、周囲を撮影した画像情報までの情報が推論のために参照される。
【００９７】
この様にして特異状態情報に対する推論が実施される（ステップＳ８）。そして、推論の結論が得られない場合（ステップＳ９）、さらに推論をステップＳ８に戻って以降の処理を繰り返す。例えば、特異状態情報が、一定のしきい値の時間を超えた、立ち止りの状態において、上記した情報（Ａ）における「（ｂ）  入力した情報（例えば、スケジュール管理情報やメモ記録）から（ｅ）  間欠的（状況によっては連続的）に、周囲を撮影した画像情報」までの情報を検索した推論からは、この日時、この場所（例えば、駅）での「立ち止りの状態」の結論が推論で得られない場合である。この場合、行動支援エージェントサーバ２２が、合成音声（文字情報、画像情報でも良い）で、携帯通信端末１０の携行者（すなわち、「立ち止りの状態」の者）に問い合わせを行う（図６及び図７未記載）。
【００９８】
この問い合わせによって、携帯通信端末１０側からの回答、例えば、「以前に通った駅の北口に出る近道が分からない」ことが推論エンジン２３ａで判明する。
【００９９】
ここで、推論エンジン２３ａは、情報提供通信システム２０の地図情報提供システムから該当する「駅」の通行路情報を取り込んで、「以前に通った駅の北口に出る近道が分からない」という喪失した記憶情報に対応する回答（記憶支援情報／行動支援情報、例えば、「右の通路を進んで、売店のところを左に曲がると北口」）を生成して（ステップＳ１０）、携帯通信端末１０に行動支援エージェントサーバ２２を通じて転送する（ステップＳ１１）。
【０１００】
なお、この推論では、「以前に通った駅の北口に出る近道が分からない」という喪失した記憶情報に対応する回答を、地図情報から得ているが、過去の情報（Ａ）における「（ａ）一定間隔でＧＰＳ計測した自己の絶対位置（二次元又は三次元）情報」から推論によって同様の回答を得ることも可能である。
【０１０１】
携帯通信端末１０は、通信回線網側装置３の行動支援エージェントサーバ２２からの回答を音声出力、画面による文字表示し、携行者がその回答、すなわち、個人的な喪失記憶情報を通信によって補完し、その的確な行動がとれるようになる。
【０１０２】
なお、この推論では、「以前に通った駅の北口に出る近道が分からない」という喪失した記憶情報に対応する回答を得るため、地図情報提供システムのみの地図情報を参照しているが、この他の回答の場合は、情報提供通信システム２０における道路交通情報提供システム、気象情報提供システムのそれぞれの情報も参照される。
【０１０３】
この推論では、上記した（ａ）日常的な物忘れ、（ｂ）加年齢による記憶力の衰え、（ｃ）脳損傷や痴呆症による記憶障害までを「レベル１，２，３」とし、さらに、記憶支援情報（行動支援情報）の階層を「レイヤ１…ｎ」とし、また、記憶支援情報（行動支援情報）の生成範囲を「レンジ１…ｎ」として、その推論を実施する。
【０１０４】
なお、「レベル１，２，３」は、記憶に問題を抱える程度である。
【０１０５】
また、「レイヤ１…ｎ」は、上記した記憶に問題を抱える程度に対する記憶支援情報（行動支援情報）の量、換言すれば、説明の深さ（説明の量）である。「レベル１，２，３」ごとに説明の量であり、記憶支援情報（行動支援情報）が増大する。
【０１０６】
さらに、「レンジ１…ｎ」は、上記した記憶に問題を抱える程度に対する記憶支援情報（行動支援情報）の範囲である。すなわち、記憶に問題を抱える者への説明の範囲であり、「レベル１，２，３」ごとに説明の範囲（記憶支援情報／行動支援情報）が広くならない。これは、例えば、「レベル３」の（ｃ）脳損傷や痴呆症による記憶障害の場合、説明の量である記憶支援情報（行動支援情報）を増大化すると、この記憶に問題を抱える者（上記した（ｃ）参照）が、即時的に記憶支援情報（行動支援情報）を理解できずに、記憶を消失して取るべき行動に移れない特異状態を、その現場で解消できない（記憶に問題のある者への行動支援が確実化しない）ためである。
【０１０７】
この「レベル１，２，３」、「レイヤ１…ｎ」、「レンジ１…ｎ」は、最初は、手動設定されるが、特異状態情報によって最適な行動支援情報が提供されるように変更・設定される（ステップＳ１２，Ｓ１３，Ｓ１４，Ｓ１５，Ｓ１６，Ｓ１７）。例えば、道に迷った際の立ち止まっている時間や、記憶に問題を抱える者と会話・文字・画像情報行動支援エージェントとの会話状態から個々の記憶に問題を抱える者ごとに随時、自動的に変更設定され、次の行動支援に適用される。
【０１０８】
換言すれば、記憶に問題を抱える者の、その程度に合わせ、かつ、特異状態に整合した、その解消のための記憶支援情報を記憶に問題を抱える者ごと、かつ、その現場に合わせて生成する。
【０１０９】
この様にして生成した記憶支援情報（行動支援情報）を、携帯通信端末１０の携行者に転送する。
【０１１０】
この転送で、取るべき行動に移れない状態が継続、すなわち、特異状態情報が、再度転送されて来る場合（例えば、進む道路が判明しないような場合）は、個別的に最初に手動操作などで設定された「レベル１，２，３」、「レイヤ１…ｎ」、「レンジ１…ｎ」の設定を自動的に変更する。そして、さらに詳細な記憶支援情報を転送する。
【０１１１】
なお、上記した情報収集において、その内容は携帯通信端末１０の携行者や、この記憶に問題を抱える者への個人的な喪失記憶情報の通信による補完双方向通信ネットワークの運営者（管理者）が閲覧し、必要に応じて訂正することが出来るようになっている。
【０１１２】
このようにして記憶を消失して取るべき行動に移れない特異状態を、その現場で解消するための確実な情報提供が、個人的かつ即時的に推論によって行われ、その記憶に問題のある者への行動支援が確実に可能になる。
【０１１３】
この記憶支援情報（行動支援情報）によって携帯通信端末１０の携行者が、記憶を補完し、記憶を消失して取るべき行動に移れない状態が解消される。
【０１１４】
（第１実施形態の利点）
このように、この第１実施形態では、記憶を消失して取るべき行動に移れない特異状態を、その現場で解消するための確実な情報提供が、個人的かつ即時的に推論によって出来る様になる。その結果、記憶に問題を抱える者の的確な行動、及びその行動支援が確実に可能になる。
【０１１５】
（第２実施形態の基本的な機能）
図８は、第２実施形態における機能を説明するための図である。
【０１１６】
図８を参照すると、記憶に問題を抱える者が、第１実施形態における携帯通信端末１０を携行しないで、第１実施形態と同様な「記憶に問題を抱える者の的確な行動、及びその行動支援」を実施する。
【０１１７】
記憶に問題を抱える者は、内部の集積回路に記憶に問題を抱える者ごとの識別符号（ＩＤ）を格納した無線チップＭａを衣類などに装着して、日常的な生活行動（移動）を行い、この移動地点の各所で、有線通信回線網に接続された固定端末が、記憶に問題を抱える者ごとの識別符号（ＩＤ）を無線検知する。固定端末は第１実施形態の携帯通信端末１０と同様に機能する。
【０１１８】
すなわち、公衆電話機と、ここに接続された撮影用カメラが、その通話内容や記憶に問題を抱える者の周囲の撮影画像を、固定端末の設置場所を示す識別符号（ＩＤ）、月、日時データとともに転送する。また、公衆電話機に接続された表示器が、各種情報、特に上記した記憶支援情報、記憶に問題を抱える者からの入力情報を画面表示する。
【０１１９】
以下、この第２実施形態の基本的な機能の実現手段について説明する。
【０１２０】
（第２実施形態の構成及び要部の個別動作）
図９は、第２実施形態の要部構成例を示す双方向通信ネットワーク図である。
【０１２１】
図９を参照すると、この第２実施形態では、記憶に問題を抱える者Ｍが衣服などに装着する無線チップＭａと、有線通信回線網１に、接続された固定端末７０（本発明（請求項）における固定通信端末に対応する）と、記憶に問題を抱える者Ｍの移動先で無線チップＭａの格納情報を検出するために、有線通信回線網１にゲートウエイ（ＧＷ）で接続された有線通信回線網１ａに接続された固定端末７１（本発明（請求項）における固定通信端末に対応する）とを有している。
【０１２２】
固定端末７０は、公衆電話機７０ａと、入力操作部及び表示器７０ｂと、撮影カメラ７０ｃと、無線送信部７０ｄ（ＴＲＸ、図４中の無線通信部１０ａに相当）とを有している。固定端末７１も同様の構成である（参照符号は省略）。
【０１２３】
その他の通信回線網側装置３などの構成は図２に示す第１実施形態と同じであり、その図示及び、その説明を省略する。
【０１２４】
次に上記した要部の個々の動作について説明する。
【０１２５】
無線チップＭａは、例えば、５ｍｍ角で内部の集積回路に記憶に問題を抱える者Ｍごとの識別符号（ＩＤ）を格納し、無電源／無電池であり、固定端末７１からの間欠的な読み出し電波を受信した内部アンテナの起電力を内部の集積回路の電源として動作する。
【０１２６】
無線チップＭａと固定端末７１との無線区間は、例えば、Ｂｌｕｅｔｏｏｔｈ、ＩｒＤＡの無線通信回線接続である。
【０１２７】
固定端末７０（７１）の公衆電話機７０ａは、有線通信回線網１を通じて通信回線網側装置３との通信を実行する。なお、公衆電話機７０ａは、自己絶対位置情報（第１実施形態におけるＧＰＳ計測の絶対位置情報に相当）が格納されており、行動モニタリング情報として通信回線網側装置３に転送する。
【０１２８】
入力操作部及び表示器７０ｂは、記憶に問題を抱える者Ｍが各種の情報（例えば、スケジュール管理情報やメモ記録など）を行動モニタリング情報として通信回線網側装置３に転送する。
【０１２９】
撮影カメラ７０ｃは、周囲の撮影画像を行動モニタリング情報として通信回線網側装置３に転送する。
【０１３０】
無線送信部７０ｄは、常時、サービスエリア内への無線チップＭａの移動を監視し、この監視で記憶に問題を抱える者Ｍごとの識別符号（ＩＤ）を検出し、この検出で自動起動する公衆電話機７０ａを通じて通信回線網側装置３に転送する。
【０１３１】
このように、固定端末７０（７１）は、第１実施形態で説明した（ａ）一定間隔で計測した自己の絶対位置（二次元又は三次元）情報から  （ｅ）間欠的（状況によっては連続的）に、周囲を撮影した画像情報までの各情報が携帯通信端末１０の携行者（記憶に問題を抱える者）の識別符号（ＩＤ）とともに転送する。
【０１３２】
なお、有線通信回線網１，１ａ及び固定端末７０，７１は、記憶に問題を抱える者Ｍが移動する範囲、例えば、全国規模で設置（通信ネットワークとして構築）されるものである。
【０１３３】
（第２実施形態の全体動作）
図１０は、第２実施形態におけるシーケンス図である。また、図１１は、第２実施形態の動作の処理手順を示すフローチャートである。
【０１３４】
なお、図１１では図２中の行動モニタリングサーバ２１及び行動支援エージェントサーバ２２の二つを、一つの制御系として処理手順を説明してある。
【０１３５】
図９から図１１を参照すると、記憶に問題を抱える者は、内部の集積回路に記憶に問題を抱える者ごとの識別符号（ＩＤ）を格納した無線チップＭａを衣類などに装着して、日常的な生活行動（移動）を行う。この移動地点の各所で、有線通信回線網１に接続された固定端末７０，７１などが、記憶に問題を抱える者ごとの識別符号（ＩＤ）を無線検知する。
【０１３６】
固定端末７０，７１は、第１実施形態の携帯通信端末１０と同様に機能する。すなわち、公衆電話機７０ａと、ここに接続された撮影用カメラ７０ｃが、その通話内容や記憶に問題を抱える者の周囲の撮影画像を、固定端末７０，７１の設置場所を示す識別符号（ＩＤ）、月、日時データとともに転送する。また、公衆電話機７０ａに接続された入力操作部及び表示器７０ｂが、各種情報、特に上記した記憶支援情報、記憶に問題を抱える者からの入力情報を画面表示する。
【０１３７】
この様な情報（Ａ）、すなわち、上記した（ａ）一定間隔でＧＰＳ計測した自己の絶対位置（二次元又は三次元）情報から  （ｅ）間欠的（状況によっては連続的）に、周囲を撮影した画像情報までと等しい情報と、固定端末７０，７１の位置情報（Ｃ）が生成されて、通信回線網側装置３の行動モニタリングサーバ２１に転送される。さらに、情報提供通信システム２０も上記した情報提供通信システム２０における地図情報提供システム、道路交通情報提供システム、気象情報提供システムでの各種情報（Ｂ）が推論エンジン２３ａでの推論のために生成される（ステップＳ２１）。これ以降は第１実施形態と同様の処理である。
【０１３８】
すなわち、情報（Ａ）（Ｂ）（Ｃ）が、携帯通信端末１０の携行者（記憶に問題を抱える者）の識別符号（ＩＤ）とともに、通信回線網側装置３に転送され、その行動モニタリング情報の取り込みを、行動モニタリングサーバ２１において判断し（ステップＳ２２）、この後に、情報収集Ｄ／Ｂシステム２３に格納する（ステップＳ２３）。
【０１３９】
さらに、行動モニタリングサーバ２１は、上記した情報（Ａ）の行動モニタリングにおいて、携帯通信端末１０の携行者の特異状態情報を、行動モニタリングサーバ２１が、その有無を判断する（ステップＳ２４）。これ以降は、推論、記憶支援情報生成、レベル／レイヤ／レンジの自動変更が実行される（ステップＳ２５、この説明の詳細は、第１実施形態の図７ステップＳ５〜Ｓ１６までの説明参照）。
【０１４０】
（第２実施形態の利点）
このように、この第２実施形態では、記憶に問題を抱える者Ｍが、無線チップＭａを装着するのみで、すなわち、行動に負担のかかる携帯通信端末１０を携行しないで実質的に、第１実施形態と同様な、記憶に問題を抱える者の的確な行動、及びその行動支援が確実に可能になる。
【０１４１】
（第３実施形態の基本的な機能）
図１２は、第３実施形態における機能構成を説明するための図である。
【０１４２】
図１２を参照すると、この第３実施形態では、記憶に問題を抱える者が、携帯物（カバンや傘など）の置き忘れに対して、第１実施形態と同様に「記憶に問題を抱える者の的確な行動、及びその行動支援」を実施する。
【０１４３】
無線チップが携帯物（カバンや傘など）に装着されている。無線チップには、内部の集積回路に、携帯物ごと及び携帯通信端末１０の携行者ごとの識別符号（ＩＤ）を格納している。
【０１４４】
この後、携帯通信端末が連続的に無線チップとの無線接続を監視し、この監視情報を行動モニタリング情報として転送する。
【０１４５】
この監視情報から、携帯通信端末が無線チップとの間の電界強度の低下又は中断（携帯通信端末と無線チップを装着した携帯物との間が所定以上離れたことを意味する）すると、この低下又は中断による、携帯物（カバンや傘など）の置き忘れに対する報知が携帯通信端末から携帯物の携行者（記憶に問題を抱える者）に行われる。
【０１４６】
すなわち、第１実施形態と同様に記憶に問題を抱える者の的確な行動、及びその行動支援が確実に可能になる。
【０１４７】
以下、この第３実施形態の基本的な機能の実現手段について説明する。
【０１４８】
（第３実施形態の構成及び要部の個別動作）
図１３は、第３実施形態の要部構成例を示す双方向通信ネットワーク図である。
【０１４９】
図１３を参照すると、携帯通信端末１０に設けられた無線通信部１０ａと、カバン８０、傘８１にそれぞれ装備された無線チップ８０ａ，８１ａとを有している。
【０１５０】
その他の通信回線網側装置３などの構成は図２に示す第１実施形態と同じであり、その図示及び、その説明を省略する。
【０１５１】
次に上記した要部の個々の動作について説明する。
【０１５２】
無線通信部１０ａは、カバン８０、傘８１にそれぞれ装備された無線チップ８０ａ，８１ａの個々の識別情報（ＩＤ）を無線通信回線によって検出し、さらに、電界強度の低下を、あらかじめ設定された、しきい値と比較して判定し、又は中断を識別する電界強度判別回路（図示せず）を備えている。
【０１５３】
無線チップ８０ａ，８１ａは、例えば、５ｍｍ角で内部の集積回路にカバン８０、傘８１にそれぞれ装備された無線チップ８０ａ，８１ａの個々の識別情報（ＩＤ）を格納し、無電源／無電池であり、無線通信部１０ａからの間欠的な読み出し電波を受信した内部アンテナの起電力を内部の集積回路の電源として動作する。
【０１５４】
無線チップ８０ａ，８１ａと無線通信部１０ａとの無線区間Ｗ１、Ｗ２は、上記した、例えば、Ｂｌｕｅｔｏｏｔｈ、ＩｒＤＡの無線通信回線接続である。
【０１５５】
（第３実施形態の全体動作）
図１４は、第３実施形態におけるシーケンス図である。また、図１５は、第３実施形態の動作の処理手順を示すフローチャートである。
【０１５６】
なお、図１５では図２中の行動モニタリングサーバ２１及び行動支援エージェントサーバ２２の二つを、一つの制御系とした処理手順を説明してある。
【０１５７】
図１２から図１５を参照すると、携帯通信端末１０の無線通信部１０ａは、カバン８０、傘８１にそれぞれ装備された無線チップ８０ａ，８１ａとの無線区間Ｗ１、Ｗ２によって個々の識別情報（ＩＤ）を無線通信回線によって検出する。この識別情報は、カバン８０、傘８１であることを示している。この無線通信部１０ａの発信による無線チップ８０ａ，８１ａの応答である識別情報（ＩＤ）が携帯通信端末１０で取り込まれ、通信回線網を通じて通信回線網側装置３に転送される（ステップＳ３１，Ｓ３２）。この転送では、携帯通信端末１０の個々の識別情報（ＩＤ）も合わせて転送される。
【０１５８】
この二つの識別情報（ＩＤ）が、通信回線網側装置３の行動モニタリング情報として行動モニタリングサーバ２１が、その取り込みを判断した後に（ステップＳ３３）、情報収集Ｄ／Ｂシステム２３に格納される。（ステップＳ３４）。
【０１５９】
この後も、携帯通信端末１０の無線通信部１０ａが、連続的に、無線チップ８０ａ，８１ａ（カバン８０、傘８１）との無線回線接続を監視して、通信回線網側装置３に転送する（ステップＳ３５，Ｓ３６）。そして、ステップＳ３６で無線回線接続における電界強度の低下又は中断が発生すると（ステップＳ３７）、この電界強度の低下又は中断の発生が行動モニタリング情報として行動モニタリングサーバ２１を通じて情報収集Ｄ／Ｂシステム２３に格納される。
【０１６０】
この情報収集Ｄ／Ｂシステム２３に格納される無線回線接続の監視情報は推論エンジン２３ａでも監視される。この電界強度の低下又は中断の発生情報を、推論エンジン２３ａが識別すると情報収集Ｄ／Ｂシステム２３中の携帯通信端末１０の識別情報（ＩＤ）に対応して格納されている無線チップ８０ａ，８１ａ（カバン８０、傘８１）における、電界強度の低下又は中断が発生した無線チップ８０ａ，８１ａを識別する（ステップＳ３７）。
【０１６１】
この識別で、例えば、カバン８０（無線チップ８０ａ）である場合、行動支援エージェントサーバ２２が、カバン８０の置き忘れの記憶行動支援情報を生成して（ステップＳ３８）、携帯通信端末１０に転送する（ステップＳ３９）。携帯通信端末１０は、携行者（記憶に問題を抱える者）に対して、例えば、合成音声などで、カバン８０の置き忘れを報知する（ステップＳ４０）。
【０１６２】
（第３実施形態の利点）
このように、この第３実施形態では、記憶に問題を抱える者の具体的な記憶の消失、ここでは具体的なカバン８０、傘８１の「置き忘れ」を、その現場で解消するための確実な記憶支援情報の提供が、個人的かつ即時的に推論によって出来る様になる。すなわち、第１実施形態と同様に、記憶に問題を抱える者の的確な行動、及びその行動支援が確実に可能になる。
【０１６３】
（第４実施形態の構成及び要部の個別動作）
図１６は、第４実施形態の要部構成例を示す双方向通信ネットワーク図である。
【０１６４】
図１６を参照すると、有線通信回線網１にネット銀行システム９０と、通信回線網側装置３に収容（例えば、回線接続装置（ＤＳＵ，ＴＡ）に接続）される通信端末９１及び９２とが接続されている。
【０１６５】
次に上記した要部の個々の動作について説明する。
【０１６６】
ネット銀行システム９０は、ネット銀行やクレジットカード会社の為替業務系システム、勘定系システムなどに接続されている。この料金決済としては、クレジットカード、デビットカード、電子マネー（ｅ−ｃａｃｈｅ／ｄｉｇｉｔａｌ−ｃａｃｈｅ）  、世界共通ネット通貨（ｂｅｅｎｓ）などが既知である。
【０１６７】
通信端末９１は、通信回線網側装置３側で代金決済が発生した際に、ネット銀行システム９０にその決済情報（決済金額、口座名及び番号、名義人、決済日、金額など）、及び決済完了通知などを受け取るためのものである。
【０１６８】
ここでの「代金決済の発生」は、「記憶に問題を抱える者の的確な行動、及びその行動支援」が、保険を含む有償の場合である。
【０１６９】
通信端末９２は、通信回線網側装置３側からの代金決済要求を、ネット銀行システム９０との双方向通信で決済するためのものである。
【０１７０】
（第４実施形態の全体動作）
図１７は、第４実施形態の動作の処理手順を示すフロー・シーケンス図である。
【０１７１】
図１６及び図１７を参照すると、携帯通信端末１０から行動支援エージェントサーバ２２までの間は、例えば、第１実施形態と同様のシーケンスを実行している。そして、例えば、行動支援エージェントサーバ２２が、決済を認識（決済発生、例えば、外部からの情報入力）すると（ステップＳ５１）、通信回線網側装置３側（代金決済の発生）は、「記憶に問題を抱える者の的確な行動、及びその行動支援を実施する側」の通信端末９１に通知し、この通信端末９１がネット銀行システム９０に決済依頼（随時又は定期）を転送する。ネット銀行システム９０は、携帯通信端末１０側（記憶に問題を抱える者の的確な行動、及びその行動支援を受ける側）の通信端末９２との間でのリンク設定によって決済（例えば、上記したクレジットカード、デビットカード、電子マネー、世界共通ネット通貨）を実行する（ステップＳ５２，Ｓ５３）。
【０１７２】
この決済実行の後では、通信端末９１を通じて行動支援エージェントサーバ２２に決済完了が通知される。
【０１７３】
（第４実施形態の利点）
このように、この第４実施形態では、第１から第３実施形態における行動支援が、保険などを含む有償の場合に、その決済が双方向通信ネットワーク上で適格かつ迅速に実施できるようになる。
【０１７４】
（実施形態の変形例１）
上記した第１から第３実施形態では、通信回線網を利用して「個人的な喪失記憶情報を通信によって補完」して、記憶に問題を抱える者への行動支援を実施しているが、本発明は、これに限定されない。
【０１７５】
例えば、図２中の通信回線網側装置３における行動モニタリングサーバ２１、行動支援エージェントサーバ２２及び情報収集Ｄ／Ｂシステム２３（推論エンジン２３ａ）と基本的な機能を有し、携帯通信端末１０の携行者が同時に携行する単体のコンピュータを用いても、本発明の実施は可能である。この場合、携帯通信端末１０と単体のコンピュータとの間はワイヤード又は無線通信（例えば、Ｂｌｕｅｔｏｏｔｈ、ＩｒＤＡ）で接続すれば良い。
【０１７６】
（実施形態の変形例２）
上記した第１から第３実施形態では、ＴＣＰ／ＩＰプロトコルによる公開性を有したインターネット通信伝送を行う例をもって説明したが、本発明は、これに限定されない。例えば、閉鎖性のイントラネットでも同様に実施できる。また、海外におけるローミング運用にもそのまま適用できる。さらに、Ｘ，Ｙ，Ｚモデム伝送方式よる双方向通信ネットワークでも本発明を実施できる。
【０１７７】
（実施形態の変形例３）
上記した第１から第４実施形態では、一つの通信回線網側装置３（図２参照）をもって説明したが、複数の通信回線網側装置３を設けた構成とすることも出来きる。例えば、地域を分割し、それぞれに通信回線網側装置３を配置し、この複数の通信回線網側装置３をホストコンピュータによって統合的に制御する構成とすることも出来る。これによって、国内、海外でのローミング運用が可能になる。
【０１７８】
このような当業者が容易に想到できる設計的な変更は、全て本発明に含まれる。
【０１７９】
【発明の効果】
以上の説明で明らかなように、本発明の個人的な喪失記憶情報を通信によって補完する方法及びその通信システム並びにプログラムによれば、記憶を消失して取るべき行動に移れない特異状態を、その現場で解消するための確実な情報提供が、個人的かつ即時的に推論によって出来る様になり、その記憶に問題を抱える者の的確な行動、及びその行動支援が確実に可能になるという効果を奏する。
【図面の簡単な説明】
【図１】本発明の第１実施形態における機能構成を説明するための図である。
【図２】本発明の第１実施形態の構成例を示す双方向通信ネットワーク図である。
【図３】図２中の携帯通信端末の外観構成例を示す斜視図である。
【図４】図２中の携帯通信端末の電気的構成例を示すブロック図である。
【図５】図２中の各装置におけるプログラムを実行する制御系のブロック図である。
【図６】第１実施形態におけるシーケンス図である。
【図７】第１実施形態の動作の処理手順を示すフローチャートである。
【図８】第２実施形態における機能構成を説明するための図である。
【図９】第２実施形態の要部構成例を示す双方向通信ネットワーク図である。
【図１０】第２実施形態におけるシーケンス図である。
【図１１】第２実施形態の動作の処理手順を示すフローチャートである。
【図１２】第３実施形態の機能構成例を説明するための図である。
【図１３】第３実施形態の要部構成例を示す双方向通信ネットワーク図である。
【図１４】第３実施形態におけるシーケンス図である。
【図１５】第３実施形態の動作の処理手順を示すフローチャートである。
【図１６】第４実施形態の要部構成例を示す双方向通信ネットワーク図である。
【図１７】第４実施形態の動作の処理手順を示すフロー・シーケンス図である。
【符号の説明】
１，１ａ  有線通信回線網
２  無線通信回線網
３  通信回線網側装置
５  通信回線網情報制御系
１０  携帯通信端末
１０ａ  無線通信部
２０  情報提供通信システム
２１  行動モニタリングサーバ
２２  行動支援エージェントサーバ
２３  情報収集Ｄ／Ｂシステム
２３ａ  推論エンジン
３１  液晶ディスプレイ（ＬＣＤ）
３２  スピーカ
３３  撮影光学系
３４  キー群
３５  マイクロホン
４１  ＧＰＳ受信部
４２  合成音声信号出力部
４３  画像処理部
４４  無線送受信部
４６  制御部
４８  タイマ回路
５０  画像合成部
５２  ＭＰＵ
５４  表示装置
５５  入力操作装置
７０，７１  固定端末
７０ａ  公衆電話機
７０ｂ  入力操作部及び表示器
７０ｃ  撮影カメラ
７０ｄ  無線送信部
８０  カバン
８１  傘
８０ａ，８１ａ，Ｍａ  無線チップ
９１，９２  通信端末
【図１】
2004246767.tif 000003
【図２】
2004246767.tif 000004
【図３】
2004246767.tif 000005
【図４】
2004246767.tif 000006
【図５】
2004246767.tif 000007
【図６】
2004246767.tif 000008
【図７】
2004246767.tif 000009
【図８】
2004246767.tif 000010
【図９】
2004246767.tif 000011
【図１０】
2004246767.tif 000012
【図１１】
2004246767.tif 000013
【図１２】
2004246767.tif 000014
【図１３】
2004246767.tif 000015
【図１４】
2004246767.tif 000016
【図１５】
2004246767.tif 000017
【図１６】
2004246767.tif 000018
【図１７】
2004246767.tif 000019